(57)【要約】【課題】  現在の状態に該当する事象を自動的に判断して、該当する事象に対応する好ましいメッセージを表示する映像音声再生装置を提供すること。【解決手段】  ＤＶＤプレーヤ１０は、所定の優先度を有する複数の事象に対応付けて、所定のメッセージを予め記憶するメッセージテーブル１６と、優先度が高い事象から順番に、現在の状態が事象に該当するか否かを判断する事象判断部１４ａと、事象判断部１４ａが該当する事象を発見した場合に、該当する事象に対応付けられた所定のメッセージをメッセージテーブル１６から読み出して表示するメッセージ表示制御部１４ｂとを備える。【選択図】図１
2008052887.tif 000002
【特許請求の範囲】
【請求項１】
音声データ及び映像データを再生する再生手段と、
外部に接続される映像音声受信装置に音声データ及び映像データを送信する送信手段と、
所定の優先度を有する複数の事象に対応付けて、所定のメッセージを予め記憶するメッセージ記憶手段と、
該優先度が高い事象から順番に、事象が該当するか否かを判断する事象判断手段と、
該事象判断手段が該当する事象を発見した場合に、該該当する事象に対応付けられた所定のメッセージを該メッセージ記憶手段から読み出して表示する表示手段とを備える、映像音声再生装置。
【請求項２】
前記複数の事象が、前記映像音声再生装置の音声データ及び映像データの送信に関する第１の事象と、該第１の事象よりも優先度の低い前記映像音声受信装置の音声データ及び映像データの受信に関する第２の事象とを含む、請求項１に記載の映像音声再生装置。
【請求項３】
前記第１の事象が、前記映像音声再生装置の音声データの送信に関する第３の事象と、該第３の事象よりも優先度の低い該映像音声再生装置の映像データの送信に関する第４の事象とを含み、
前記第２の事象が、前記映像音声受信装置の音声データの受信に関する第５の事象と、該第５の事象よりも優先度の低い該映像音声受信装置の映像データの受信に関する第６の事象とを含む、請求項２に記載の映像音声再生装置。
【請求項４】
前記複数の事象が、前記映像音声再生装置と前記映像音声受信装置との接続に関し、前記第１の事象及び前記第２の事象よりも優先度の高い第７の事象をさらに含む、請求項２又は３に記載の映像音声再生装置。
【請求項５】
前記再生手段が再生した映像データの解像度を変換する解像度変換手段をさらに備え、
前記第４の事象又は前記第６の事象が、該解像度変換手段が変換する解像度に関する事象である、請求項３に記載の映像音声再生装置。
【請求項６】
前記映像音声再生装置及び前記映像音声受信装置がＨＤＭＩ規格に準拠しており、
前記送信手段が、前記再生手段が再生した音声データ及び映像データをＨＤＭＩ規格のＨＤＭＩデータに変換して該映像音声受信装置に送信し、
前記第３の事象が、該送信手段がＨＤＭＩの音声データを出力しているという事象を含み、
該送信手段がＨＤＭＩの音声データを出力しているという事象に該当する場合には、前記事象判断手段が、該第３の事象の判断を終了し、前記第４の事象を判断する、請求項３又は５に記載の映像音声再生装置。
【請求項７】
前記第３の事象が、前記送信手段がデジタルの音声データを出力していないという事象と、前記再生手段が再生している音声データに関する事象とをさらに含み、
該送信手段がＨＤＭＩデータを出力しているという事象に該当せず、かつ、該送信手段がデジタルの音声データを出力していないという事象に該当する場合、前記事象判断手段が、該再生手段が再生している音声データに関する事象について判断する、請求項６に記載の映像音声再生装置。
【請求項８】
前記第３の事象が、前記送信手段が出力する音声データのフォーマットがＰＣＭであるという事象と、該送信手段が出力するＰＣＭ音声データのサンプリング周波数が所定の周波数でないという事象とをさらに含み、
該送信手段がＨＤＭＩデータを出力しているという事象と、該送信手段がデジタルの音声データを出力していないという事象とに該当せず、かつ、該送信手段が出力する音声データのフォーマットがＰＣＭであるという事象に該当する場合、前記事象判断手段が、該送信手段が出力するＰＣＭ音声データのサンプリング周波数が所定の周波数でないという事象を判断する、請求項７に記載の映像音声再生装置。
【請求項９】
前記第５の事象が、前記送信手段が出力するＨＤＭＩデータの音声データのフォーマットが所定のフォーマットであるという事象を含む、請求項６〜８のいずれかに記載の映像音声再生装置。
【請求項１０】
前記第１の事象に該当する場合には、前記表示手段が、前記映像音声再生装置に関する事象に基づいて、該映像音声再生装置の設定変更をユーザに促すメッセージを表示し、
前記第２の事象に該当する場合には、該表示手段が、前記映像音声再生装置に関する事象に基づいて、前記映像音声受信装置の設定変更をユーザに促すメッセージを表示する、請求項３に記載の映像音声再生装置。
【請求項１１】
前記第７の事象に該当する場合には、前記表示手段が、前記映像音声再生装置と前記映像音声受信装置との接続又は認証のエラー、あるいは、該映像音声再生装置の設定の誤りについてのメッセージを表示する、請求項４に記載の映像音声再生装置。
【請求項１２】
前記映像音声受信装置から、該映像音声受信装置の設定情報を取得する取得手段をさらに備え、
前記複数の事象が、該設定情報に基づく、該映像音声受信装置の音声データの受信に関し、前記第５の事象よりも優先度が高く、前記第４の事象よりも優先度が低い第８の事象をさらに含む、請求項１〜１１のいずれかに記載に映像音声再生装置。
【請求項１３】
機器に生じている事象を判断して、該当する事象に対応する所定のメッセージを表示装置に表示させる事象判断装置であり、
メッセージ表示指示をユーザ操作に応じて受信する指示受信手段と、
複数の事象に対応するメッセージを記憶するメッセージ記憶手段と、
所定の優先度を有する複数の事象に関して、該優先度が高い事象から順番に、事象が該当するか否かを、該当する事象を発見するまで判断する事象判断手段と、
該事象に該当すると判断された場合に、該事象に対応付けられた所定のメッセージを該メッセージ記憶手段から読み出して該表示装置に表示させるメッセージ表示制御手段とを備える、事象判断装置。
【発明の詳細な説明】
【技術分野】
【０００１】
本発明は、現在の状態に該当する事象を判断し、該当する事象に対応するメッセージを表示する事象判断装置及び映像音声再生装置に関する。
【背景技術】
【０００２】
最近、ＨＤＭＩ規格に準拠したＤＶＤプレーヤ、ＡＶアンプ及びディスプレイ装置が利用されており、ＤＶＤプレーヤはＨＤＭＩケーブルを介してＡＶアンプに接続され、ＡＶアンプはＨＤＭＩケーブルを介してディスプレイ装置に接続される。ＤＶＤプレーヤは、ＤＶＤディスクから音声データ及び映像データを読み出して、これらのデータをＨＤＭＩデータに変換し、ＨＤＭＩケーブルを介してＡＶアンプに送信する。ＡＶアンプは、受信したＨＤＭＩデータを元の映像データ及び音声データに変換し、音声データをスピーカーに供給し、映像データをＨＤＭＩデータに再び変換しディスプレイ装置に送信する。ディスプレイ装置は、受信したＨＤＭＩデータを元の映像データに変換して、映像を表示する。また、ＤＶＤプレーヤがＨＤＭＩケーブルを介して直接ディスプレイ装置に接続される場合もある。
【０００３】
このようなシステムにおいて、ユーザによるＤＶＤプレーヤの設定（例えば、ＨＤＭＩ接続、出力音声フォーマットや出力セレクタの設定、解像度設定等）がユーザにとって非常に難しく、誤った設定を行うと、スピーカーから音声が再生されない、又は、ディスプレイ装置で映像が表示されないという問題が生じる。このような問題が生じた場合には、ユーザはＤＶＤプレーヤに付属の説明書を熟読し対応方法を検討するか、又は、サービスセンターに問い合わせる方法によって解決するしかなく、これらの処理が非常に煩雑である。
【０００４】
また、下記特許文献１は、以下の技術を記載する。へルプ要求が発生すると、選択部２により、表示用のヘルプファイル１-1〜１-nのうちの１つが、その時点のシステム状態に応じて選択され、その選択されたヘルプファイルの中から、音声出力の対象となる文字列部分が、音声出力対象部分抽出部６によって行を単位に抽出される。この抽出された文字列部分は、音声データ変換部７により音声変換ライブラリ８を用いて音声データに変換され、音声出力制御部９の制御により、音声出力装置１０から音声にて出力される。これと並行して、上記選択されたヘルプファイルから表示出力対象部分が表示出力対象部分抽出部３によって抽出され、表示装置５から表示出力される。
【０００５】
しかし、特許文献１は、システム状態に応じたヘルプファイルの選択方法について具体的に記載していない。また、ＨＤＭＩデータ送信におけるヘルプファイルの選択方法を記載していない。さらに、この技術によれば、単に１つのヘルプファイルを選択するので、ＤＶＤプレーヤに適用すると、システム状態に応じたヘルプファイルが複数存在する場合に、好ましくないヘルプファイルを選択してしまい、問題を解決できない場合がある。
【０００６】
【特許文献１】特開平５−２７４０７５号公報
【発明の開示】
【発明が解決しようとする課題】
【０００７】
本発明は上記従来の課題を解決するためになされたものである。本発明の目的は、現在の状態に該当する事象を自動的に判断して、該当する事象に対応する好ましいメッセージを表示する映像音声再生装置を提供することである。
【０００８】
本発明の別の目的は、ＨＤＭＩ規格に準拠した映像音声再生装置において、現在の状態に該当する事象を判断し、対応するメッセージを表示する映像音声再生装置を提供することである。
【課題を解決するための手段】
【０００９】
本発明の好ましい実施形態による映像音声再生装置は、音声データ及び映像データを再生する再生手段と、外部に接続される映像音声受信装置に音声データ及び映像データを送信する送信手段と、所定の優先度を有する複数の事象に対応付けて、所定のメッセージを予め記憶するメッセージ記憶手段と、該優先度が高い事象から順番に、事象が該当するか否かを判断する事象判断手段と、該事象判断手段が該当する事象を発見した場合に、該該当する事象に対応付けられた所定のメッセージを該メッセージ記憶手段から読み出して表示する表示手段とを備える。
【００１０】
事象判断手段が現在の状態（映像音声再生装置及び／又は映像音声受信装置における状態、状況）が事象に該当するかを自動的に判断し、該当する事象が発見されると、発見された事象に対応するメッセージを表示するので、ユーザはメッセージの内容を参考にし、映像音声再生装置又は映像音声受信装置に正しい設定を行うことができる。複数の事象には優先度が設けられており、事象判断手段は優先度の高い事象から順番に事象が該当するか否かを判断していく。従って、現在の状態から判断して最も適切であると考えられメッセージを１つ選択して表示することができ、該当する事象が複数存在する場合でも、従来のように適切でないメッセージが表示されることを防止できる。なお、メッセージは、メッセージ自体又はメッセージの内容を示すメッセージＩＤ（識別番号）である。
【００１１】
好ましくは、前記複数の事象が、前記映像音声再生装置の音声データ及び映像データの送信に関する第１の事象と、該第１の事象よりも優先度の低い前記映像音声受信装置の音声データ及び映像データの受信に関する第２の事象とを含む。
【００１２】
映像音声再生装置が事象を判断するので、映像音声再生装置自身に関する事象は映像音声受信装置に関する事象よりも詳細にかつ正確に判断することができる。従って、映像音声再生装置に関する事象の優先度を高くすることにより、先に映像音声再生装置に関する事象が判断されるので、より正確なメッセージを表示することができる。
【００１３】
好ましくは、前記第１の事象が、前記映像音声再生装置の音声データの送信に関する第３の事象と、該第３の事象よりも優先度の低い該映像音声再生装置の映像データの送信に関する第４の事象とを含み、前記第２の事象が、前記映像音声受信装置の音声データの受信に関する第５の事象と、該第５の事象よりも優先度の低い該映像音声受信装置の映像データの受信に関する第６の事象とを含む。
【００１４】
音声データの設定の方が映像データの設定よりも設定項目が多く、かつ、ユーザにとって難解であるので、誤設定の可能性が高い。従って、音声データに関する事象の優先度を映像データの受信に関する事象の優先度よりも高くすることにより、音声データに関する事象が先に判断され、より正確なメッセージを表示することができる。
【００１５】
好ましくは、前記複数の事象が、前記映像音声再生装置と前記映像音声受信装置との接続に関し、前記第１の事象及び前記第２の事象よりも優先度の高い第７の事象をさらに含む。
【００１６】
映像音声再生装置と映像音声受信装置との接続に関する事象の優先度を最も高く設定するのは、この事象が解決されないと、他の事象についてメッセージを表示してもそのメッセージは全く無意味なメッセージとなるからである。
【００１７】
好ましくは、前記映像音声再生装置は、前記再生手段が再生した映像データの解像度を変換する解像度変換手段をさらに備え、前記第４の事象又は前記第６の事象が、該解像度変換手段が変換する解像度に関する事象である。
【００１８】
好ましくは、前記映像音声再生装置及び前記映像音声受信装置がＨＤＭＩ規格に準拠しており、前記送信手段が、前記再生手段が再生した音声データ及び映像データをＨＤＭＩ規格のＨＤＭＩデータに変換して該映像音声受信装置に送信する。前記第３の事象は、該送信手段がＨＤＭＩデータを出力しているという事象を含む。該送信手段がＨＤＭＩデータを出力しているという事象に該当する場合には、前記事象判断手段が、該第３の事象の判断を終了し、前記第４の事象を判断する。
【００１９】
送信部がＨＤＭＩデータを出力しているという事象が第３の事象の中で最初に判断され、当該事象に該当する場合には、第３の事象については判断処理を終了し、第４の事象へと判断処理を進める。ＨＤＭＩデータを出力できているので、問題はないからである。なお、当該事象の優先度を高くすることにより、他の事象を判断する必要がなくなり、判断処理にかかる時間を短縮できる。
【００２０】
好ましくは、前記第３の事象が、前記送信手段がデジタルの音声データを出力していないという事象と、前記再生手段が再生している音声データに関する事象とをさらに含む。該送信手段がＨＤＭＩデータを出力しているという事象に該当せず、かつ、該送信手段がデジタルの音声データを出力していないという事象に該当する場合、前記事象判断手段が、該再生手段が再生している音声データに関する事象について判断する。
【００２１】
送信手段がデジタル音声データを出力していない場合には、再生手段が再生している音声データ自体に問題があると考えられるので、再生手段が再生している音声データに関する事象を判断することにより、好ましいメッセージを表示できる。
【００２２】
好ましくは、前記第３の事象が、前記送信手段が出力する音声データのフォーマットがＰＣＭであるという事象と、該送信手段が出力するＰＣＭ音声データのサンプリング周波数が所定の周波数でないという事象とをさらに含む。該送信手段がＨＤＭＩデータを出力しているという事象と、該送信手段がデジタルの音声データを出力していないという事象とに該当せず、かつ、該送信手段が出力する音声データのフォーマットがＰＣＭであるという事象に該当する場合、前記事象判断手段が、該送信手段が出力するＰＣＭ音声データのサンプリング周波数が所定の周波数でないという事象を判断する。
【００２３】
送信手段がデジタルの音声データを出力しており、かつ、ＰＣＭの音声データを出力している場合には、ＰＣＭ音声データのサンプリング周波数に問題があると考えられる。従って、ＰＣＭ音声データのサンプリング周波数に関する事象を判断することにより、好ましいメッセージを表示できる。
【００２４】
好ましくは、前記第５の事象が、前記送信手段が出力するＨＤＭＩデータの音声データのフォーマットが所定のフォーマットであるという事象を含む。
【００２５】
送信手段が出力するＨＤＭＩデータの音声データのフォーマットが所定のフォーマットであると、映像音声受信装置が所定のフォーマットに対応しておらず、処理できないことが考えられる。従って、当該事象に該当するかを判断することにより、好ましいメッセージを表示できる。
【００２６】
好ましくは、前記第１の事象に該当する場合には、前記表示手段が、前記映像音声再生装置に関する事象に基づいて、該映像音声再生装置の設定変更をユーザに促すメッセージを表示し、前記第２の事象に該当する場合には、該表示手段が、前記映像音声再生装置に関する事象に基づいて、前記映像音声受信装置の設定変更をユーザに促すメッセージを表示する。
【００２７】
好ましくは、前記第７の事象に該当する場合には、前記表示手段が、前記映像音声再生装置と前記映像音声受信装置との接続又は認証のエラー、あるいは、該映像音声再生装置の設定の誤りについてのメッセージを表示する。
【００２８】
このように単なるエラー表示だけでなく、事象の種類に応じて、接続／認証のエラーや、設定内容に関するメッセージが表示されることも本発明の特徴の１つである。
【００２９】
好ましくは、前記映像音声再生装置は、前記映像音声受信装置から、該映像音声受信装置の設定情報を取得する取得手段をさらに備える。前記複数の事象が、該設定情報に基づく、該映像音声受信装置の音声データの受信に関し、前記第５の事象よりも優先度が高く、前記第４の事象よりも優先度が低い第８の事象をさらに含む。
【発明の効果】
【００３０】
本発明の事象判断装置は、優先度の高い事象から順番に事象が該当するか否かを判断し、該当する事象に対応するメッセージを表示するので、好ましいメッセージを自動的に選択して表示することができる。
【発明を実施するための最良の形態】
【００３１】
以下、本発明の好ましい実施形態によるＤＶＤプレーヤ（事象判断装置、映像音声再生装置）、及びＡＶアンプ（映像音声受信装置）について、図面を参照して具体的に説明するが、本発明はこれらの実施形態には限定されない。
【００３２】
図１は、ＤＶＤプレーヤ１０及びＡＶアンプ２０の構成を示す概略ブロック図である。ＤＶＤプレーヤ１０及びＡＶアンプ２０は、ＨＤＭＩ（High Definition Multimedia Interface）規格に準拠しており、ＨＤＭＩケーブルを介して接続されている。また、ＤＶＤプレーヤ１０及びＡＶアンプ２０は、ＨＤＭＩケーブル以外のデジタルケーブル（オプティカル、コンポジット、コアキシャル、コンポーネント等）を介して接続される。
【００３３】
［ＤＶＤプレーヤ１０の構成］
ＤＶＤプレーヤ１０について説明する。ＤＶＤプレーヤ１０は、再生部１１と、解像度変換部１２と、ＨＤＭＩ送信部１３と、システム制御部１４と、操作表示部１５と、メモリ１６と、コネクタ部１７とを有する。再生部１１、解像度変換部１２及びＨＤＭＩ送信部１３がバックエンド部１８を構成する。
【００３４】
再生部１１は、ＤＶＤディスク（以下、単にディスクという）に記録されている映像データをディスクから読み出して、デコードし、解像度変換部１２に供給する。また、再生部１１は、ディスクに記録されている音声データをディスクから読み出して、デコードし、ＨＤＭＩ送信部１３に供給する。再生部１１は、図示しない光ピックアップ、サーボ回路、ＭＰＥＧデコーダ等を含む。
【００３５】
解像度変換部１２は、再生部１１から供給された映像データの解像度を判別する。また、解像度変換部１２は、判別した映像データの解像度を、システム制御部１４からのコマンドにより、ユーザによって設定された解像度に変換する。解像度変換部１２によって解像度が変換された映像データは、ＨＤＭＩ送信部１３に供給される。
【００３６】
ＨＤＭＩ送信部１３は、解像度変換部１２から供給された映像データ、及び、再生部１１から供給された音声データを、システム制御部１４からのコマンドにより、ＨＤＭＩ規格のデータ（以下、ＨＤＭＩデータという）に変換する。ＨＤＭＩ送信部１３は、変換したＨＤＭＩデータを、コネクタ部１７を介して、ＡＶアンプ２０に送信する。
【００３７】
ＨＤＭＩ送信部１３は、ＨＤＭＩデータを送受信するＴＭＤＳライン（通常は複数存在するが簡単のため１本のラインのみを記載している）、及び、接続の有無を判断するためのホットプラグを介して、ＡＶレシーバ２０のＨＤＭＩ受信部２１に接続される。
【００３８】
ＨＤＭＩ送信部１３は、映像データ及び音声データを、ＨＤＭＩケーブル（ＴＭＤＳライン）を介してＡＶアンプ２０に送信するか、デジタルケーブルを介してＡＶアンプ２０に送信するかを選択する選択部１３ａを有している。選択部１３ａはユーザの設定操作に基づいてシステム制御部１４からの指示に応じて切り換えられる。なお、選択部１３ａやデータラインは、簡単のため映像と音声を共通して記載している。
【００３９】
システム制御部１４は、再生部１１、解像度変換部１２、ＨＤＭＩ送信部１３、操作表示部１５、メモリ１６等を制御するものであり、例えば、マイクロコンピュータである。システム制御部１４は、操作表示部１５からの操作入力又は各部からの制御信号及びデータに基づいて各種処理を実行する。
【００４０】
システム制御部１４は、ＣＥＣラインを介してＡＶアンプ２０のシステム制御部２３に接続され、システム制御部２３とコマンド及び／又はデータを送受信する。また、システム制御部１４は、ＨＤＭＩ送信部１３及びＤＤＣラインを介して、ＡＶアンプ２０のＰＲＯＭ２５に接続され、ＰＲＯＭ２５に記憶されたＥＤＩＤを読み出し、解像度の種類を読み出す。
【００４１】
システム制御部１４は、操作表示部１５に、ユーザ設定を行うためのセットアップメニューを表示させる。セットアップメニューは、出力する映像データの解像度をユーザの操作によって設定する解像度設定画面や、選択部１３ａの選択画面等を含む。
【００４２】
メモリ１６（例えば、ＲＯＭ）は、ＤＶＤプレーヤ１０がＡＶアンプ２０に出力可能な解像度の種類が予め記憶されている。
【００４３】
システム制御部１４は、ＡＶアンプ２０のＰＲＯＭ２５に記憶されている解像度の種類を、ＤＤＣラインを介して読み出し、メモリ１６に予め記憶されている解像度の種類と照合する。システム制御部１４は、メモリ１６に予め記憶されている解像度の種類の中から、ＡＶアンプ２０のＰＲＯＭ２５から読み出したＥＤＩＤに含まれている解像度の種類と一致する解像度の種類を解像度選択画面に表示する。
【００４４】
また、メモリ１６は、図２に示すメッセージテーブルをさらに格納している。メッセージテーブルは、各事象に対応する操作表示部１５に表示するメッセージＩＤ及びメッセージ内容が予め記憶されている。
【００４５】
システム制御部１４は、事象判断部１４ａ及びメッセージ表示制御部１４ｂを含む。事象判断部１４ａは、優先度を有する複数の事象について、優先度の高い事象から順番に現在のＤＶＤプレーヤ１１又はＡＶアンプ２０の状況が各事象に該当するか否かを判断していく。事象判断部１４ａは、該当する事象を発見すると、事象が該当するか否かの判断処理を終了する。そして、メッセージ表示制御部１４ｂは、事象判断部１４ａが該当する事象を発見すると、その事象に予め対応付けられたメッセージ（メッセージＩＤ及びメッセージ自体のうちの少なくとも一方）を図２のメッセージテーブルから読み出して、操作表示部１５に表示させる。
【００４６】
ユーザはＤＶＤプレーヤ１０又はＡＶアンプ２０の操作について疑問が生じた場合に、操作表示部１５に設けられたメッセージ表示ボタン（ヘルプボタン）を押下する。メッセージ表示ボタンの押下に応じて、事象判断部１４ａが現在の状況に該当する事象を自動的に発見し、メッセージ表示制御部１４ｂが操作表示部１５にメッセージを表示させる。そのため、ユーザは、操作表示部１５に表示されたメッセージを参考にしてＤＶＤプレーヤ１０又はＡＶアンプ２０の設定を行うことができる。
【００４７】
ここで、事象とは、ＤＶＤプレーヤ１０又はＡＶアンプ２０において生じている現象、状況又は状態を意味し、例えば、接続状態、各種の設定状態（解像度設定等）、各種データの送受信状態、各種データのフォーマット等が挙げられる。すなわち、事象は、後述するフローチャートにおける各判断処理項目のことを指す。
【００４８】
複数の事象には優先度が設けられており、優先度の高い順番に該当の有無が判断される。優先度を設ける理由は以下の通りである。ＤＶＤプレーヤ１０又はＡＶアンプ２０の現在の状況に該当する事象は１つとは限らず複数存在する場合があり、その中には、問題とは無関係であり、その事象だけに対応するメッセージ内容をユーザが実行しても問題を解決できないものがある。すなわち、事象判断部１４ａが、事象に該当するかをランダムに判断していき、該当する事象についてメッセージを表示するだけでは問題を解決できない。そこで、問題を解決できる可能性の高い、つまり、関係性の高いと考えられる事象の優先度をより高く設定し、先に判断することにより、より好ましメッセージを表示し、迅速にユーザが正確な設定をできるようにしている。
【００４９】
優先度の決定方法は次の通りである。図３に示すとおり、ＤＶＤプレーヤ１０とＡＶアンプ２０との接続、起動及び認証に関する事象（Ｓ１１）を最も優先度が高く設定する。接続、起動及び認証に関する事象とは、接続のエラー、起動のエラー、認証のエラー又はＨＤＭＩ設定（ＨＤＭＩ出力のオン／オフ）の誤設定等である。接続、起動、認証及びＨＤＭＩ設定の誤設定に関する事象は最も基本的な問題点であり、これを解決していない限りＤＶＤプレーヤ１０及びＡＶアンプ２０は動作を行うことは不可能であるので、優先度が最高に設定されている。ここで、ＤＶＤプレーヤ１０とＡＶアンプ２０との接続、起動、認証及びＨＤＭＩ設定に関する事象に該当する場合には、メッセージ表示制御部１４ｂは、接続又は認証に関するエラー、あるいは、ＨＤＭＩ設定の誤設定に関するメッセージを表示する。
【００５０】
次に、ＤＶＤプレーヤ１０側に関係のある事象（Ｓ１２、Ｓ１３）が、ＡＶアンプ２０側に関係のある事象（Ｓ１４、Ｓ１５）よりも優先度が高く設定されている。ＤＶＤ側に関係のある事象とは、ＤＶＤの現在のステータス（出力している映像データ及び／又は音声データの種類や解像度等）に関するものである。ＤＶＤプレーヤ１０側の事象に該当する場合、メッセージ表示制御部１４ｂは、ＤＶＤプレーヤ１０のステータスに基づいてＤＶＤプレーヤ１０の設定変更をユーザに促すメッセージを表示させる。ＡＶアンプ２０側に関係のある事象とは、ＤＶＤの現在のステータス（出力している映像データ及び／又は音声データの種類や解像度等）に基づいて推測されるＡＶアンプ２０側の設定等である。すなわち、本例では、ＡＶアンプ２０の事象を直接的に判別しているのではなく、ＤＶＤプレーヤ側１０のステータスから間接的に推測している。ＡＶアンプ２０側の事象に該当する場合、メッセージ表示制御部１４ｂは、ＤＶＤプレーヤ１０のステータスに基づいてＡＶアンプ２０の設定変更をユーザに促すメッセージを表示させる。
【００５１】
ＤＶＤプレーヤ１０側に関係のある事象の優先度の方が高いのは、ＤＶＤプレーヤ１０内の事象判断部１４ａにおいて事象を判断するのであるから、ＤＶＤプレーヤ１０側に関係のある事象は、その原因をより直接的に判断することができるからである。従って、ＤＶＤプレーヤ側に関係のある事象を先に判断することで、より好ましいメッセージを表示して、問題点を直ぐに解決できる可能性が高くなる。
【００５２】
さらに、音声データ送信に関する事象（Ｓ１２）が映像データ送信に関する事象（Ｓ１３）よりも優先度が高く設定されている。この理由としては、音声データ送信に関するユーザ設定項目が多くかつ難解であり、誤設定される可能性が高いことが挙げられる。また、映像データ送信に関する設定には解像度設定が挙げられ、事象としては所定の解像度に設定されていることが挙げられるが、この事象の優先度を高くしてしまうと、ユーザが所定の解像度に設定していると解像度設定に問題がなくても、ユーザがメッセージ表示ボタンを押下すると解像度を変更すべき旨のメッセージが表示されてしまうからである。
【００５３】
ＡＶアンプ２０側に関係のある事象（Ｓ１４、１５）は上記の理由により、最も優先度が低く設定されている。また、上記の理由により、音声データ送信に関する事象（Ｓ１４）が映像データ送信に関する事象（Ｓ１５）よりも優先度が高く設定されている。
【００５４】
さらに、上記のように優先度が決定されていることにより、多くの種類のメッセージを操作表示部１５に表示することができる。すなわち、ＡＶアンプ２０側の事象を優先して判断して当該事象に該当するメッセージを表示させた場合、ユーザはＡＶアンプ２０の設定を変更するしかなく、ＤＶＤプレーヤ１０側の問題点は表示されずにＤＶＤプレーヤ１０の設定を変更することができなくなる。ＡＶアンプ２０の設定を変更したとしても、ＤＶＤプレーヤ１０から出力される音声データ又は映像データ自体は変更されないので、再び、ユーザがメッセージを表示する指示を入力したとしても、再度同じＡＶアンプ２０に関する事象のメッセージが表示されてしまう。本例では、ＤＶＤプレーヤ１０側の事象を先に判断し当該事象に該当するメッセージを表示させることで、ユーザはまずＤＶＤプレーヤ１０の設定を変更することができる。この場合、ＤＶＤプレーヤ１０から出力される音声データ又は映像データに問題がなくなれば、次にＡＶアンプ２０側の事象に関するメッセージを表示できる。映像と音声の関係も同様であり、映像の優先度を高くしてしまうと解像度設定を変更しない限り解像度に関するメッセージのみが表示されるが、音声の優先度を高くすることでまず音声設定に関するメッセージが表示され、音声設定の問題が解決されると次に解像度に関するメッセージを表示できるようになる。
【００５５】
次に、ＡＶアンプ２０の構成を説明する。ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭとする）２５と、音声処理部２６と、コネクタ部２７、２８とを有している。
【００５６】
ＨＤＭＩ受信部２１は、ＤＶＤプレーヤ１０から送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データ生成して、音声処理部２６に供給する。
【００５７】
また、ＨＤＭＩ受信部２１は、ＨＤＭＩケーブルを介して受信する映像データ及び音声データと、デジタルケーブルを介して受信する映像データ及び音声データとの中から、一の映像データ及び音声データを選択する選択部２１ａを有する。
【００５８】
ＨＤＭＩ送信部２２は、ＨＤＭＩ受信部２１から供給された映像データ、及び、必要に応じて音声処理部２６から供給された音声データを、ＨＤＭＩデータに変換して、コネクタ部２８を介して、ディスプレイ装置（図示せず）に送信する。ＨＤＭＩ送信部２２は、ＴＭＤＳライン及びホットプラグを介して、ディスプレイ装置のＨＤＭＩ受信部に接続されている。
【００５９】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００６０】
システム制御部２３は、ＨＤＭＩ受信部２１、ＨＤＭＩ送信部２２、操作表示部２４、ＰＲＯＭ２５、音声処理部２６等を制御するものであり、例えば、マイクロコンピュータである。システム制御部２３は、操作表示部２４からの操作入力又は各部からの制御信号及びデータに基づいて各種処理を実行する。
【００６１】
システム制御部２３には、ＲＯＭ等のメモリ２３ａが内蔵（又は接続）されており、ＲＯＭ２３ａ内にＡＶアンプ２０が出力する解像度の種類が予め記憶されている。通常、ＲＯＭ２３ａには、ＨＤＭＩ規格に対応する複数の解像度の種類が記憶されている。
【００６２】
ＰＲＯＭ２５は、ＤＤＣライン及びＨＤＭＩ送信部１３を介してＤＶＤプレーヤ１０のシステム制御部１４に接続されている。ＰＲＯＭ２５にはシステム制御部２３によって解像度の種類を含むＥＤＩＤが登録され、登録されたＥＤＩＤは、ＤＶＤプレーヤ１０のシステム制御部１４によってＤＤＣライン及びＨＤＭＩ送信部１３を介して読み出される。
【００６３】
以上の構成を有するシステムについて、図３〜図８を参照してその動作及び作用を説明する。
【００６４】
［動作概要］
図３は、ＤＶＤプレーヤ１０の処理の概要を示すフロー図である。例えば、スピーカー６０から音声が再生しない又はディスプレイ装置に映像が表示されない等の理由で、ユーザが操作表示部１５のメッセージ表示ボタンを押下した場合、システム制御部１４は、優先順位が高い順番に、（１）ＨＤＭＩの接続判断処理（Ｓ１１）、（２）ＤＶＤプレーヤ１０側の音声データ送信可否判断処理（Ｓ１２）、（３）ＤＶＤプレーヤ１０側の映像データ送信可否判断処理（Ｓ１３）、（４）ＡＶアンプ２０側の音声データ受信可否判断処理（Ｓ１４）、（５）ＡＶアンプ２０側の映像データ受信可否判断処理（Ｓ１５）を実行する。システム制御部１４は、事象に該当すると判断した時点で、当該事象に対応付けられたメッセージ又はメッセージＩＤを操作表示部１５に表示し、事象の判断処理を終了する。各処理の詳細を以下に説明する。
【００６５】
［ＨＤＭＩ接続判断処理］
図４は、Ｓ１１のＨＤＭＩ接続判断処理を示す図である。ＨＤＭＩ接続判断処理は、優先度が最も高く、メッセージ表示ボタンが押下されたとき、最初に各事象（Ｓ２１〜Ｓ２７）が判断される処理である。まず、システム制御部１４は、ＤＶＤプレーヤ１０の電源がオフ状態になっている、又は、バックエンド部１８とシステム制御部１４との間で通信不能であるという基本的な事象について該当するか否かを判断する（Ｓ２１）。ＤＶＤプレーヤ１１の電源がオフ状態である、又は、バックエンド部１８とシステム制御部１４との間で通信不能である場合には（Ｓ２１：ＹＥＳ）、電源オフ又はシステム制御部１４とバックエンド部１８との通信不能によりスピーカー６０から音声が出力されないと判断されるので、システム制御部１４は、メッセージＩＤが００１のメッセージ「セットの動作不良の可能性があります。再起動して下さい。」を操作表示部１５に表示する（Ｓ２８）。
【００６６】
次に、ＤＶＤプレーヤ１１の電源がオン状態であり、かつ、バックエンド部１８とシステム制御部１４との間で通信可能である場合には（Ｓ２１：ＮＯ）、システム制御部１４は、ＨＤＭＩ設定がオフであるという事象に該当するか否かを判断する（Ｓ２２）。ＨＤＭＩ設定は、ＨＤＭＩ出力のオンオフ設定である。つまり、ＤＶＤプレーヤ１０がＨＤＭＩケーブルを介して音声データ及び映像データを出力するか否かの設定である。ＨＤＭＩ設定がオフであれば（Ｓ２２：ＹＥＳ）、ＨＤＭＩ設定がオフであるのでスピーカー６０から音声が出力されないと判断されるので、システム制御部１４は、メッセージＩＤが００２であるメッセージ「HDMIの出力設定をONにしてください。」を操作表示部１５に表示する（Ｓ２９）。
【００６７】
ＨＤＭＩ設定がオンである場合（Ｓ２２：ＮＯ）、システム制御部１４は、ＤＶＤプレーヤ１１がＡＶアンプ２０にＨＤＭＩ接続されていない（つまり、システム制御部１４がホットプラグ信号を検出していない）という事象に該当するか否かを判断する（Ｓ２３）。システム制御部１４がホットプラグ信号を検出していない場合（Ｓ２３：ＹＥＳ）、ＨＤＭＩ接続の確認が必要であると判断されるので、システム制御部１４は、メッセージＩＤが００３であるメッセージ「ケーブルを正しく接続して、接続したHDMI機器のPowerをONにしてください。」を操作表示部１５に表示する（Ｓ３０）。
【００６８】
次に、システム制御部１４は、ＤＶＤプレーヤ１１がＡＶアンプ２０にＨＤＭＩ接続されていない（つまり、バックエンド部１８がホットプラグ信号を検出していない）という事象に該当するか否かを判断する（Ｓ２４）。バックエンド部１８がホットプラグ信号を検出したか否かの情報は、バックエンド部１８からシステム制御部１４に通知される。バックエンド部１８がホットプラグ信号を検出していない場合（Ｓ２４：ＹＥＳ）、ＨＤＭＩ接続の確認が必要であると判断されるので、システム制御部１４は、メッセージＩＤが００４であるメッセージ「セットの動作不良の問題があります。（HotPlugの認識ができない）」を操作表示部１５に表示する（Ｓ３１）。
【００６９】
バックエンド部１８がホットプラグ信号を検出している場合（Ｓ２４：ＮＯ）、ＨＤＭＩ接続には問題ないと判断されるので、システム制御部１４は、ＨＤＣＰ認証が完了していないという事象に該当するか否かを判断する（Ｓ２５）。ＨＤＣＰ認証が完了していない場合（Ｓ２５：ＹＥＳ）、認証中であるか、又は、ＨＤＣＰに対応していない例えばＤＶＩ規格に準拠したＡＶアンプやディスプレイ装置が接続されていると判断されるので、システム制御部１４は、メッセージＩＤが００５であるメッセージ「HDCP認証中です。しばらくお待ち下さい。」を操作表示部１５に表示する（Ｓ３２）。
【００７０】
ＨＤＣＰ認証が完了している場合（Ｓ２５：ＮＯ）、システム制御部１４は、ＨＤＣＰ認証にエラーが生じているという事象に該当するか否かを判断する（Ｓ２６）。ＨＤＣＰ認証にエラーが生じている場合（Ｓ２６：ＹＥＳ）、ＨＤＣＰに対応していない例えばＤＶＩ規格に準拠したＡＶアンプ又はディスプレイ装置が接続されていると判断されるので、システム制御部１４は、メッセージＩＤが００６であるメッセージ「HDCPの認証に失敗しました。接続機器がHDCP非対応で無いか確認してください。」を操作表示部１５に表示する（Ｓ３３）。
【００７１】
ＨＤＣＰ認証にエラーが生じていない場合（Ｓ２６：ＮＯ）、システム制御部１４はＨＤＣＰ認証開始しない、又は、バックエンド部１８側で認証エラーが生じているという事象に該当するか否かを判断する（Ｓ２７）。ＨＤＣＰ認証開始しない、又は、バックエンド部１８側で認証エラーが生じている場合（Ｓ２７：ＹＥＳ）、システム制御部１４は、メッセージＩＤが００７であるメッセージ「セットの動作不良の問題があります。（認証開始しない）」を操作表示部１５に表示する（Ｓ３４）。一方、ＨＤＣＰ認証開始しており、かつ、バックエンド部１８側で認証エラーが生じていない場合（Ｓ２７：ＮＯ）、優先度が最も高いＨＤＭＩ接続判断処理を終了し、次に、ＤＶＤプレーヤ１０側の音声データ送信可否処理へと進む（Ｓ１２）。
【００７２】
［ＤＶＤプレーヤ側の音声データ送信可否判断処理］
図５Ａは、Ｓ１２のＤＶＤプレーヤ側の音声データ送信可否判断処理を示す図である。ＤＶＤプレーヤ側の音声データ送信可否判断処理は、優先度が２番目に高く、ＨＤＭＩ接続判断処理（Ｓ１１）の各事象が全て問題なかった場合に、各事象が判断される。なお、図５Ａの各事象は、ＨＤＭＩ送信部１３から送信される音声データに関する事象である。
【００７３】
まず、システム制御部１４は、ＨＤＭＩ音声出力フォーマットは確定であるという事象に該当するか否かを判断する（Ｓ４１）。この事象は、ＨＤＭＩ送信部１３からＨＤＭＩケーブルのＴＭＤＳラインにＨＤＭＩデータ（音声データ）が出力できているという事象である。ＴＭＤＳラインに音声データが出力されていれば（Ｓ４１：ＹＥＳ）、ＨＤＭＩケーブルを介して音声データが出力できており、Ｓ１２の事象については何ら問題ないと判断されるので、Ｓ１３のＤＶＤプレーヤ側の映像データの送信可否判断処理へと進む（図６で詳細後述）。
【００７４】
ＴＭＤＳラインに音声データが出力されていなければ（Ｓ４１：ＮＯ）、システム制御部１４は、ＨＤＭＩ送信部１３からデジタル音声出力（デジタルケーブルからのデジタル音声出力）がないという事象に該当するか否かを判断する（Ｓ４２）。ＨＤＭＩ送信部１３からデジタル音声出力がない場合（Ｓ４２：ＹＥＳ）、ＨＤＭＩ送信部１３は音声データを出力しておらず、再生部１１が再生している音声データ自体に問題があると考えられるので、音声出力判断処理（Ｓ４６、図５Ｂで詳細後述）へと進む。
【００７５】
ＨＤＭＩ送信部１３からデジタル音声出力がある場合（Ｓ４２：ＮＯ）、デジタルケーブルを介してデジタル音声データが出力されているので、システム制御部１４は、デジタル音声データのフォーマットがＰＣＭ（又はＬＰＣＭ、以下同様）であるという事象に該当するか否かを判断する（Ｓ４３）。デジタル音声データのフォーマットがＰＣＭである場合（Ｓ４３：ＹＥＳ）、ＰＣＭであればＡＶアンプ２０は必ず対応可能であるが、ＰＣＭの音声データのサンプリング周波数がＡＶアンプ２０側で対応していない可能性があると考えられる。従って、システム制御部１４は、ＰＣＭ周波数確認処理を実行する（Ｓ４７、図５Ｃで詳細後述）。
【００７６】
デジタル音声データのフォーマットがＰＣＭでなければ（Ｓ４３：ＮＯ）、システム制御部１４は、フォーマットがＤＴＳ（又はＤＴＳＣＤ、以下同様）であるという事象に該当するか否かを判断する（Ｓ４４）。フォーマットがＤＴＳである場合（Ｓ４４：ＹＥＳ）、ＡＶアンプ２０がＤＴＳに対応していないと考えられるので、システム制御部１４は、メッセージＩＤが０１６であるメッセージ「HDMI接続機器がDTSに対応していないため、DTS音声を出力することができません。」を操作表示部１５に表示する（Ｓ４８）。一方、フォーマットがＤＴＳでなければ場合（Ｓ４４：ＮＯ）、フォーマットはDolby Digital等であり、ＡＶアンプ２０がDolby
Digitalに対応していないと考えられるので、システム制御部１４は、メッセージＩＤが０１２であるメッセージ「接続機器が、ビットストリーム音声(DolbyDigtal etc)に対応してないため、音声を出力することができません。HDMI出力設定を、PCM出力にしてください。」を操作表示部１５に表示する（Ｓ４９）。
【００７７】
ここで、Ｓ４６の音声出力確認処理について図５Ｂを参照して説明する。図５Ｂの各事象は、再生部１１が再生する音声データに関する事象である。まず、システム制御部１４は、再生部１１がディスクから再生しているデータの中に音声データが含まれていないという事象に該当するか否かを判断する（Ｓ５１）。例えば、再生部１１がＤＶＤのメニュー画面を再生している等により、再生中のデータに音声データが含まれない場合（Ｓ５１：ＹＥＳ）、システム制御部１４は、メッセージＩＤが１０１であるメッセージ「現在再生しているDiscに音声が正しく入っていることを確認して下さい。」を操作表示部１５に表示する（Ｓ５６）。
【００７８】
再生中のデータに音声データが含まれる場合（Ｓ５１：ＮＯ）、システム制御部１４は、再生中の音声データのフォーマットがＤＴＳであるか否かを判断する（Ｓ５２）。HDMI音声出力設定がＰＣＭに設定されている場合、再生中の音声データがＰＣＭでなければ、再生部１１は音声データを出力しないようになっている。従って、システム制御部１４は、メッセージＩＤが０１６ｂであるメッセージ「本機のHDMI音声出力設定をALL設定にしてください。」を操作表示部１５に表示する（Ｓ５７）。ＡＬＬ設定であれば、再生部１１はあらゆるフォーマットの音声データを出力するからである。
【００７９】
再生中の音声データのフォーマットがＤＴＳでなければ（Ｓ５２：ＮＯ）、システム制御部１４は、再生中の音声データのフォーマットがＭＰＥＧデータ（ＭＰＥＧ１、ＭＰＥＧ２又はＭＰＥＧＥＸ、以下同様）であるという事象に該当するか否かを判断する（Ｓ５３）。HDMI音声出力設定がＰＣＭに設定されている場合、再生中の音声データがＰＣＭでなければ、再生部１１は音声データを出力しないようになっている。従って、システム制御部１４は、メッセージＩＤが０１８であるメッセージ「本機のHDMI音声出力設定をALL設定にしてください。」を操作表示部１５に表示する（Ｓ５８）。
【００８０】
再生中の音声データがＭＰＥＧデータでなければ（Ｓ５３：ＮＯ）、システム制御部１４は、再生中の音声データのフォーマットがＤＳＤであるという事象に該当するか否かを判断する（Ｓ５４）。HDMI音声出力設定がＰＣＭに設定されている場合、再生中の音声データがＰＣＭでなければ、再生部１１は音声データを出力しないようになっている。従って、システム制御部１４は、メッセージＩＤが０２０であるメッセージ「SACD音声をHDMI出力することはできません。」を操作表示部１５に表示する（Ｓ５９）。
【００８１】
再生中の音声データのフォーマットがＤＳＤでなければ（Ｓ５４：ＮＯ）、フォーマットはＰＣＭであり、ＰＣＭの音声データの周波数に問題がある可能性が考えられるので、システム制御部１４は、ＰＣＭ周波数確認処理を実行する（Ｓ４７）。
【００８２】
ここで、Ｓ４７のＰＣＭ周波数確認処理について図５Ｃを参照して説明する。システム制御部１４は、ＰＣＭの音声データのサンプリング周波数が所定の周波数（例えば、４４．１ｋＨｚ又は４８ｋＨｚ）でないという事象に該当するか否かを判断する（Ｓ５５）。ＰＣＭの音声データのサンプリング周波数が４４．１ｋＨｚ又は４８ｋＨｚでない場合（Ｓ５５：ＹＥＳ）、ＰＣＭの音声データのサンプリング周波数が８８．２ｋＨｚ以上であり、ＡＶアンプ２０がこのような高いサンプリング周波数に対応していないと考えられるので、システム制御部１４は、メッセージＩＤが０１１であるメッセージ「DownSampling設定をONにしてください。」を操作表示部１５に表示する（Ｓ６０）。ダウンサンプリングすることにより、ＡＶアンプ２０が対応可能な周波数にすることができるからである。
【００８３】
一方、ＰＣＭの音声データのサンプリング周波数が４４．１ｋＨｚ又は４８ｋＨｚであれば（Ｓ５５：ＮＯ）、Ｓ１２の事象については何ら問題ないと判断されるので、Ｓ１３のＤＶＤプレーヤ側の映像データの送信可否判断処理へと進む（Ｓ１３）。
【００８４】
［ＤＶＤプレーヤ側の映像データ送信可否判断処理］
図６は、Ｓ１３のＤＶＤプレーヤ側の映像データ送信可否判断処理を示す図である。ＤＶＤプレーヤ側の映像データ送信可否判断処理は、優先度が３番目に高く、ＤＶＤプレーヤ側の音声データ送信可否判断処理の各事象の判断後に、各事象が判断される。
【００８５】
システム制御部１４は、ＤＶＤプレーヤ１０で設定されている解像度が所定の解像度（例えば、７２０Ｐ又は１０８０ｉ）であるという事象に該当するか否かを判断する（Ｓ６１）。解像度が７２０Ｐ又は１０８０ｉである場合（Ｓ６１：ＹＥＳ）、ＨＤＭＩ送信部１３がＡＶアンプ２０で処理可能でない解像度で映像データを出力しており、解像度の変更が必要であると考えられる。その結果、システム制御部１４は、メッセージＩＤが００８であるメッセージ「HDMI設定をAUTOにしてください。」を操作表示部１５に表示する（Ｓ６２）。ＡＵＴＯに設定すると、ＡＶアンプ２０で対応可能な解像度が自動的に設定されるからである。
【００８６】
設定されている解像度が７２０Ｐ又は１０８０ｉでなければ（Ｓ６１：ＮＯ）、解像度設定には問題がないと考えられる。その結果、Ｓ１３の事象については何ら問題ないと判断されるので、Ｓ１４のＡＶアンプ２０側の音声データの受信可否判断処理へと進む。
【００８７】
［ＡＶアンプ２０側の音声データの受信可否判断処理］
図７Ａ及び図７Ｂは、ＡＶアンプ２０側の音声データの受信可否判断処理を示す図である。この処理は優先度が４番目に高く、Ｓ１２及びＳ１３でＤＶＤプレーヤ１０側の事象については問題がないと判断された後に、各事象（Ｓ７１〜Ｓ７３）が判断される。これらの事象は、ＨＤＭＩ送信部１３から送信されるＨＤＭＩデータ（音声データ）に関する事象に基づいて、ＡＶアンプ２０側の設定等に問題があると推測するものである。
【００８８】
図７Ａは、ＨＤＭＩ送信部１３からＴＭＤＳラインを介して出力される音声データを確認し、接続されているＡＶアンプ２０が当該音声データを処理可能であるか否かを判断する処理である。まず、システム制御部１４は、ＨＤＭＩ送信部１３がＨＤＭＩの音声データを出力しているか否かを判断する（Ｓ７０）。ＨＤＭＩの音声データを出力していない場合（Ｓ７０：ＮＯ）、メッセージＩＤが０２１であるメッセージ「HDMI音声出力設定がONか確認して下さい。HDMI接続した機器はAudio出力対応していますか？」を表示させる（Ｓ７８）。ＨＤＭＩの音声データを出力している場合（Ｓ７０：ＹＥＳ）、システム制御部１４は、ＴＭＤＳラインを介して出力される音声データのフォーマットがＰＣＭであるという事象に該当するか否かを判断する（Ｓ７１）。音声データのフォーマットがＰＣＭであれば（Ｓ７１：ＹＥＳ）、ＰＣＭの音声データ自体はＡＶアンプ２０で対応可能であるので、この場合は、ＰＣＭの音声データのサンプリング周波数がＡＶアンプ２０で対応していないと考えられる。従って、システム制御部１４は、ＨＤＭＩのＰＣＭデータのサンプリング周波数判断処理を実行する（Ｓ７４）。
【００８９】
ＨＤＭＩのＰＣＭデータのサンプリング周波数判断処理を図７Ｂに示す。システム制御部１４は、ＨＤＭＩのＰＣＭデータのサンプリング周波数が所定値（例えば、４４．１ｋＨｚ又は４８ｋＨｚ）以上であるという事象に該当するか否かを判断する（Ｓ７８）。サンプリング周波数が、４４．１ｋＨｚ又は４８ｋＨｚ以上であれば（Ｓ７８：ＹＥＳ）、ＡＶアンプ２０がこれらの周波数に対応していないと考えられるので、システム制御部１４は、メッセージＩＤが０１４であるメッセージ「ＰＣＭ音声４８ｋＨｚ以上の音声を出力中です。接続した機器の音量設定、入力設定を確認して下さい。ダウンサンプリングをＯＮにして出力できるか確認して下さい。」を操作表示部１５に表示する（Ｓ７９）。
【００９０】
サンプリング周波数が、４４．１ｋＨｚ又は４８ｋＨｚ未満であれば（Ｓ７８：ＮＯ）、Ｓ１４のＡＶアンプ側の音声データの受信可否については問題がないので、Ｓ１５のＡＶアンプ側の映像データの受信可否判断処理に進む（図８で詳細後述）。
【００９１】
図７Ａに戻り、音声データのフォーマットがＰＣＭでなければ（Ｓ７１：ＮＯ）、システム制御部１４は、音声データのフォーマットがＤＴＳであるという事象に該当するか否かを判断する（Ｓ７２）。音声データのフォーマットがＤＴＳであれば（Ｓ７２：ＹＥＳ）、ＡＶアンプ２０がＤＴＳに対応していないことが考えられる。従って、システム制御部１４は、メッセージＩＤが０１７であるメッセージ「接続した機器の音量設定、入力設定を確認して下さい。ＤＴＳ音声出力中です。」を操作表示部１５に表示する（Ｓ７５）。
【００９２】
音声データのフォーマットがＤＴＳでなければ（Ｓ７２：ＮＯ）、システム制御部１４は、音声データのフォーマットがＭＰＥＧデータであるという事象に該当するか否かを判断する（Ｓ７３）。音声データがＭＰＥＧデータであれば（Ｓ７３：ＹＥＳ）、ＡＶアンプ２０がＭＰＥＧデータに対応していないことが考えられる。従って、システム制御部１４は、メッセージＩＤが０１９であるメッセージ「接続した機器の音量設定、入力設定を確認して下さい。ＭＰＥＧ音声出力中です。」を操作表示部１５に表示する（Ｓ７６）。
【００９３】
音声データのフォーマットがＭＰＥＧデータでなければ（Ｓ７３：ＮＯ）、音声データのフォーマットはDolby Digitalであり、ＡＶアンプ２０がDolby
Digitalに対応していないことが考えられる。従って、システム制御部１４は、メッセージＩＤが０１３であるメッセージ「接続した機器の音量設定、入力設定を確認して下さい。Dolby Digital音声出力中です。」を操作表示部１５に表示する（Ｓ７７）。
【００９４】
［ＡＶアンプ側の映像データ受信可否判断処理］
図８は、ＡＶアンプ側の映像データ受信可否判断処理を示す図である。この処理は、最も優先度が低く、Ｓ１１〜Ｓ１４において問題がないと判断された時に、各事象が判断される。これらの事象は、ＨＤＭＩ送信部１３から送信されるＨＤＭＩデータ（映像データ）に関する事象に基づいて、ＡＶアンプ２０側の設定等に問題があると推測するものである。
【００９５】
システム制御部１４は、ＤＶＤプレーヤ１０の解像度設定が自動になっているという事象に該当するか否かを判断する（Ｓ８１）。解像設定が自動とは、ＡＶアンプ２０のＰＲＯＭ２５から取得したＥＤＩＤに含まれる解像度を基にしてＡＶアンプ２０が処理可能である解像度を自動的に設定することである。解像度設定が自動であれば（Ｓ８１：ＹＥＳ）、ＡＶアンプ２０のＰＲＯＭ２５に登録されている解像度に誤りがある、すなわち、ＰＲＯＭ２５にＡＶアンプ２０が処理可能でない解像度が登録されており、その解像度をＤＶＤプレーヤ１０が自動的に設定してしまったことが考えられる。この場合、解像度設定を自動から例えば４８０ｐに変更すれば問題を解決できる。従って、システム制御部１４は、メッセージＩＤが００８ｂであるメッセージ「受信機の受信可能な解像度で出力中です。接続したＨＤＭＩ機器の映像入力設定を確認して下さい。ＨＤＭＩ解像度が自動で映像出力中です。問題が有る場合は、４８０ｐに設定して下さい。」を操作表示部１５に表示する（Ｓ８２）。
【００９６】
解像度設定が自動でなければ（Ｓ８１：ＮＯ）、これ以上確認する事象が存在しないので、システム制御部１４は、メッセージＩＤが０１５であるメッセージ「正常なＨＤＭＩ機器を接続している場合は、この設定で問題ありません」を操作表示部１５に表示する（Ｓ８３）。
【００９７】
以上の処理により、ユーザによってメッセージ表示ボタンが押下されたとき、システム制御部１４は該当する事象を自動的に発見し、最も適切なメッセージを操作表示部１５に表示することができる。
【００９８】
次に、本発明の別の実施形態を説明する。本例では、システム制御部１４が該当する事象を発見し、操作表示部１５にメッセージを表示している間に、ユーザの設定操作により当該事象が該当しなくなった場合には、システム制御部１４は次の該当する事象について判断処理を継続する。例えば、図９に示すように（図９は図５Ｂの変形例である）、発見された事象に対応するメッセージを表示しながら、システム制御部１４は同じ事象が該当しなくなったか否かをチェックしており、該当しなくなった時、次の事象のチェックを行うようにしている。これにより、全ての事象が該当しなくなるまで、ユーザはメッセージを見ながら設定を実行することができる。なお、その他の事象につても同様である。
【００９９】
［ＡＶアンプのＥＤＩＤを用いた、ＡＶアンプ側の音声データ受信可否判断処理］
次に、本発明のさらに別の実施形態を説明する。本例では、システム制御部１４は、ＡＶアンプ２０のＰＲＯＭ２５に記憶されているＥＤＩＤ（設定情報に該当）を読み出して、図１０に示す通り、Ｓ１３の処理とＳ１４の処理との間に、ＥＤＩＤに含まれる内容と現在のＤＶＤプレーヤ１４の設定状況やステータスとに基づいて、「ＥＤＩＤに基づくＡＶアンプ側の音声データの受信可否判断処理」を実行する（Ｓ１６）。Ｓ１４では、ＨＤＭＩ送信部１３から送信されるＨＤＭＩデータ（音声データ）に関する事象に基づいて、ＡＶアンプ２０側の設定等に問題があるか否かを推測していたが、Ｓ１６ではＡＶアンプ２０から取得したＥＤＩＤに基づいて、ＡＶアンプ２０側の設定等に問題があるか否かを判断するので、Ｓ１６の方がＳ１４に比べて問題を解決できる可能性が高い。従って、Ｓ１６の優先順位の方が、Ｓ１４の優先順位よりも高く設定されている。ここで使用するＥＤＩＤ内の情報は、ＡＶアンプ２０で再生可能な音声データのフォーマットや、再生可能な音声データのフォーマットのサンプリング周波数である。
【０１００】
Ｓ１６の処理について、図１１を参照して説明する。システム制御部１４は、ＡＶアンプ２０からＥＤＩＤを取得済であるか否かを判断する（Ｓ９１）。ＥＤＩＤを取得していなければ（Ｓ９１：ＮＯ）、Ｓ１６の処理を終了して、Ｓ１４の処理に進み、ＥＤＩＤを取得していれば（Ｓ９１：ＹＥＳ）、ＥＤＩＤ確認処理を実行する（Ｓ９２）。Ｓ９２の詳細を図１２に示す。
【０１０１】
システム制御部１４は、再生中の音声データのフォーマットがＥＤＩＤ内の再生可能フォーマットに含まれているか否かを判断する（Ｓ９３）。含まれていなければ（Ｓ９３：ＮＯ）、システム制御部１４は、デジタル音声データのフォーマットがＰＣＭであるか否かを判断する（Ｓ９４）。ＰＣＭである場合（Ｓ９４：ＹＥＳ）、ＰＣＭであればＡＶアンプ２０は必ず対応可能であり問題はないので、Ｓ１４の処理に進む。一方、ＰＣＭでない場合（Ｓ９４：ＮＯ）、ＡＶアンプ２０が再生中のフォーマットに対応していないことが判明するので、メッセージＩＤが０３０であるメッセージ「接続されたＨＤＭＩ機器はこのFormatに対応していません。Digital
Out設定をPCM設定に変更して下さい。」を操作表示部１５に表示する。
【０１０２】
再生中の音声データのフォーマットがＥＤＩＤ内の再生可能フォーマットに含まれている場合（Ｓ９３：ＹＥＳ）、システム制御部１４は、再生中の音声データのフォーマットのサンプリング周波数がＥＤＩＤ内の再生可能なサンプリング周波数に含まれているか否かを判断する（Ｓ９５）。含まれていれば（Ｓ９５：ＹＥＳ）、問題ないのでＳ１４の処理に進む。一方、含まれていなければ（Ｓ９５：ＮＯ）、システム制御部１４は、デジタル音声データのフォーマットがＰＣＭであるか否かを判断する（Ｓ９６）。ＰＣＭでない場合（Ｓ９６：ＮＯ）、システム制御部１４は、メッセージＩＤが０３１であるメッセージ「HDMI接続機器がこの再生フォーマットに対応していません。Digital接続又はAnalog接続にして下さい。」を操作表示部１５に表示する。
【０１０３】
一方、ＰＣＭである場合（Ｓ９６：ＹＥＳ）、システム制御部１４は、ダウンサンプリング設定がオンになっているか否かを判断する（Ｓ９７）。ダウンサンプリング設定がオフであれば（Ｓ９７：ＮＯ）、システム制御部１４は、メッセージＩＤが０３２であるメッセージ「ダウンサンプリング設定をONにして下さい。」を操作表示部１５に表示する。一方、ダウンサンプリング設定がオンであれば（Ｓ９７：ＹＥＳ）、システム制御部１４は、メッセージＩＤが０３３であるメッセージ「HDMI機器がこの周波数に対応していません。Digital接続又はAnalog接続にして下さい。」を操作表示部１５に表示する。
【０１０４】
以上のように、本例では、ＡＶアンプ２０から取得したＥＤＩＤに基づいて、各事象に該当するか否かを判断して、該当する場合に対応するメッセージを表示することで、より確実に問題点を解決することができる。なお、本例で使用するＥＤＩＤ内の情報はスピーカー設定や、オーディオ設定等を含んでいてもよい。また、ＥＤＩＤに基づいてＡＶアンプ２０の映像データの事象に関する判断処理を実行してもよい。
【０１０５】
以上、本発明の好ましい実施形態を説明したが、本発明はこれらの実施形態には限定されない。メッセージ表示ボタンは、ＤＶＤプレーヤ１０本体上のボタンでも、リモコン上のボタンでもよい。メッセージを表示する時間は所定時間（例えば、５秒間）でもよく、ユーザが表示解除するまでの間でもよい。上記の事象判断部１４ａ、メッセージ表示制御部１４ｂ及びメッセージテーブルをＡＶアンプ２０又はディスプレイ装置内に設けるようにし、ＡＶアンプやディスプレイ装置が上記の事象判断及びメッセージ表示処理を実行するようにしてもよい。また、映像音声受信装置がＡＶアンプの代わりにディスプレイ装置であってもよい。また、上記の各事象の逆の事象（例えば、図５ＡのＳ４２においては、ＨＤＭＩ送信部１３からデジタル音声データ（デジタルケーブルからのデジタル音声データ）が出力されているという事象）について判断し、フロー図のＹＥＳ／ＮＯを逆転させてもいいのは当然である。また、上記のメッセージを表示するだけでなく、設定変更に関する問合せ（設定変更ボタン）を表示して、設定変更ボタンを選択した場合、直ぐにユーザが設定変更できるようにしてもよい。また、ＤＶＤプレーヤの上記動作をコンピュータに実行させるためのプログラム及びこれを記録した記録媒体という形態で提供されてもよい。なお、ＨＤＭＩ、ＤＴＳ、Ｄｏｌｂｙ  Ｄｉｇｉｔａｌは登録商標である。
【産業上の利用可能性】
【０１０６】
本発明は、設定操作が難解であるＨＤＭＩ規格に準拠したＤＶＤプレーヤに特に好適に採用され得る。
【図面の簡単な説明】
【０１０７】
【図１】本発明の好ましい実施形態によるＤＶＤプレーヤ１０及びＡＶアンプ２０の構成を示すブロック図である。
【図２】メッセージテーブルを示す図である。
【図３】ＤＶＤプレーヤの動作の概要を示す図である。
【図４】ＨＤＭＩ接続判断処理を示すフローチャートである。
【図５Ａ】ＤＶＤプレーヤ側の音声データ送信可否判断処理を示すフローチャートである。
【図５Ｂ】再生部１１からの音声出力確認処理を示すフローチャートである。
【図５Ｃ】ＰＣＭ周波数確認処理を示すフローチャートである。
【図６】ＤＶＤプレーヤ側の映像データ送信可否判断処理を示すフローチャートである。
【図７Ａ】ＡＶアンプ側への音声データ送信種別及び可否の判断を示すフローチャートである。
【図７Ｂ】ＨＤＭＩデータのＰＣＭ周波数確認処理を示すフローチャートである。
【図８】ＡＶアンプ側への映像データ送信種別及び可否の判断を示すフローチャートである。
【図９】別の実施形態を示すフローチャートである。
【図１０】ＤＶＤプレーヤの別の動作の概要を示す図である。
【図１１】ＥＤＩＤに基づく判断処理を示すフローチャートである。
【図１２】ＥＤＩＤ確認処理の詳細を示すフローチャートである。
【符号の説明】
【０１０８】
１０            ＤＶＤプレーヤ（映像音声再生装置、事象判断装置）
１１            再生部
１３            ＨＤＭＩ送信部
１４            システム制御部
１４ａ          事象判断部
１４ｂ          メッセージ表示制御部
１５            操作表示部
１６            メモリ、メッセージテーブル
【図１】
2008052887.tif 000003
【図２】
2008052887.tif 000004
【図３】
2008052887.tif 000005
【図４】
2008052887.tif 000006
【図５Ａ】
2008052887.tif 000007
【図５Ｂ】
2008052887.tif 000008
【図５Ｃ】
2008052887.tif 000009
【図６】
2008052887.tif 000010
【図７Ａ】
2008052887.tif 000011
【図７Ｂ】
2008052887.tif 000012
【図８】
2008052887.tif 000013
【図９】
2008052887.tif 000014
【図１０】
2008052887.tif 000015
【図１１】
2008052887.tif 000016
【図１２】
2008052887.tif 000017
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
映像音声受信装置に接続可能な映像音声再生装置であって、
音声データ及び映像データを再生する再生手段と、
該映像音声受信装置に音声データ及び映像データを送信する送信手段と、
所定の優先度を有する複数の事象に対応付けて、所定のメッセージを予め記憶するメッセージ記憶手段と、
該優先度が高い事象から順番に、事象が該当するか否かを判断する事象判断手段と、
該事象判断手段が該当する事象を発見した場合に、該該当する事象に対応付けられた所定のメッセージを該メッセージ記憶手段から読み出して表示する表示手段とを備え、
該複数の事象が、該映像音声再生装置の音声データ及び映像データの送信に関する第１の事象と、該第１の事象よりも優先度の低い該映像音声受信装置の音声データ及び映像データの受信に関する第２の事象とを含み、
該事象判断手段が、該映像音声再生装置の現在のステータスに基づいて、該第１の事象および該第２の事象が該当するか否かを判断し、
該第１の事象に該当する場合に、該表示手段が、該映像音声再生装置の設定変更を促すメッセージを表示し、
該第２の事象に該当する場合に、該表示手段が、該映像音声受信装置の設定変更を促すメッセージを表示する、映像音声再生装置。
【請求項２】
前記第１の事象が、前記映像音声再生装置の音声データの送信に関する第３の事象と、該第３の事象よりも優先度の低い該映像音声再生装置の映像データの送信に関する第４の事象とを含み、
前記第２の事象が、前記映像音声受信装置の音声データの受信に関する第５の事象と、該第５の事象よりも優先度の低い該映像音声受信装置の映像データの受信に関する第６の事象とを含む、請求項１に記載の映像音声再生装置。
【請求項３】
前記複数の事象が、前記映像音声再生装置と前記映像音声受信装置との接続に関し、前記第１の事象及び前記第２の事象よりも優先度の高い第７の事象をさらに含む、請求項１又は２に記載の映像音声再生装置。
【請求項４】
前記再生手段が再生した映像データの解像度を変換する解像度変換手段をさらに備え、
前記第４の事象又は前記第６の事象が、該解像度変換手段が変換する解像度に関する事象である、請求項２に記載の映像音声再生装置。
【請求項５】
前記映像音声再生装置及び前記映像音声受信装置がＨＤＭＩ規格に準拠しており、
前記送信手段が、前記再生手段が再生した音声データ及び映像データをＨＤＭＩ規格のＨＤＭＩデータに変換して該映像音声受信装置に送信し、
前記第３の事象が、該送信手段がＨＤＭＩの音声データを出力しているという事象を含み、
該送信手段がＨＤＭＩの音声データを出力しているという事象に該当する場合には、前記事象判断手段が、該第３の事象の判断を終了し、前記第４の事象を判断する、請求項２又は４に記載の映像音声再生装置。
【請求項６】
前記第３の事象が、前記送信手段がデジタルの音声データを出力していないという事象と、前記再生手段が再生している音声データに関する事象とをさらに含み、
該送信手段がＨＤＭＩデータを出力しているという事象に該当せず、かつ、該送信手段がデジタルの音声データを出力していないという事象に該当する場合、前記事象判断手段が、該再生手段が再生している音声データに関する事象について判断する、請求項５に記載の映像音声再生装置。
【請求項７】
前記第３の事象が、前記送信手段が出力する音声データのフォーマットがＰＣＭであるという事象と、該送信手段が出力するＰＣＭ音声データのサンプリング周波数が所定の周波数でないという事象とをさらに含み、
該送信手段がＨＤＭＩデータを出力しているという事象と、該送信手段がデジタルの音声データを出力していないという事象とに該当せず、かつ、該送信手段が出力する音声データのフォーマットがＰＣＭであるという事象に該当する場合、前記事象判断手段が、該送信手段が出力するＰＣＭ音声データのサンプリング周波数が所定の周波数でないという事象を判断する、請求項６に記載の映像音声再生装置。
【請求項８】
前記第５の事象が、前記送信手段が出力するＨＤＭＩデータの音声データのフォーマットが所定のフォーマットであるという事象を含む、請求項５〜７のいずれかに記載の映像音声再生装置。
【手続補正３】
【補正対象書類名】明細書
【補正対象項目名】０００９
【補正方法】変更
【補正の内容】
【０００９】
本発明の好ましい実施形態による映像音声再生装置は、映像音声受信装置に接続可能な映像音声再生装置であって、音声データ及び映像データを再生する再生手段と、該映像音声受信装置に音声データ及び映像データを送信する送信手段と、所定の優先度を有する複数の事象に対応付けて、所定のメッセージを予め記憶するメッセージ記憶手段と、該優先度が高い事象から順番に、事象が該当するか否かを判断する事象判断手段と、該事象判断手段が該当する事象を発見した場合に、該該当する事象に対応付けられた所定のメッセージを該メッセージ記憶手段から読み出して表示する表示手段とを備え、該複数の事象が、該映像音声再生装置の音声データ及び映像データの送信に関する第１の事象と、該第１の事象よりも優先度の低い該映像音声受信装置の音声データ及び映像データの受信に関する第２の事象とを含み、該事象判断手段が、該映像音声再生装置の現在のステータスに基づいて、該第１の事象および該第２の事象が該当するか否かを判断し、該第１の事象に該当する場合に、該表示手段が、該映像音声再生装置の設定変更を促すメッセージを表示し、該第２の事象に該当する場合に、該表示手段が、該映像音声受信装置の設定変更を促すメッセージを表示する。
【手続補正４】
【補正対象書類名】明細書
【補正対象項目名】００１１
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】